(57)【要約】【課題】  各種機器類の固定設置等に供される打込式のアンカボルトを施工面に打込むためのアンカボルト打込用工具について、打込み作業を効率的に実施できるようにし、アンカボルトを確実に打込めるようにする。【解決手段】  下端部にアンカボルトを囲むように収容して施工面から立設されるガイド筒１と、ガイド筒１の内部をスライドして下端部がアンカボルトを打突する打突棒２とを備えている。ガイド筒１は、下端部付近に収容したアンカボルトを覗くことのできる窓１２が開口されている、打突棒２は、自重落下でアンカボルトを打込むことのできる重量を有してガイド筒１の内部を遊嵌状態でスライドするものである。【選択図】        図１
0003192621.tif 000002
【実用新案登録請求の範囲】
【請求項１】
下端部にアンカボルトを囲むように収容して施工面から立設されるガイド筒と、ガイド筒の内部をスライドして下端部がアンカボルトを打突する打突棒とを備え、ガイド筒は下端部付近に収容したアンカボルトを覗くことのできる窓が開口され、打突棒は自重落下でアンカボルトを打込むことのできる重量を有してガイド筒の内部を遊嵌状態でスライドするものであることを特徴とするアンカボルト打込用工具。
【請求項２】
請求項１のアンカボルト打込用工具において、ガイド筒の窓が開口された付近の内周面に蓄光性部材が設けられていることを特徴とするアンカボルト打込用工具。
【請求項３】
請求項１または２のアンカボルト打込用工具において、打突棒は上端部付近に滑止め構造をもった把手と把手よりも上端部側に把手よりも大きな抜止部が設けられていることを特徴とするアンカボルト打込用工具。
【請求項４】
請求項３のアンカボルト打込用工具において、打突棒の抜止部は重量の異なるものを交換可能であることを特徴とするアンカボルト打込用工具。
【考案の詳細な説明】
【技術分野】
【０００１】
本考案は、各種機器類の固定設置等に供される打込式のアンカボルトを施工面に打込むためのアンカボルト打込用工具に係る技術分野に属する。
【背景技術】
【０００２】
打込式のアンカボルトは、施工面にドリル等で掘設された取付穴に挿通され芯棒やスリーブがハンマで打突されることで取付穴に打込み固定される。この打込み作業では、ハンマの手元が狂ってアンカボルトのネジ部を打突損傷してしまうことがある。このため、アンカボルトのネジ部を打突損傷することなく、アンカボルトを打込み固定することのできる工具の開発が要望されている。
【０００３】
従来、打込用工具としては、例えば、特許文献１,２に記載のものが知られている。
【０００４】
特許文献１,２には、釘類を打込み固定するものであって、下端部に釘類を囲むように収容して施工面から立設されるガイド筒と、ガイド筒の内部をスライドして下端部が釘類の頭部を打突する打突棒とを備えた打込用工具が記載されている。
【０００５】
特許文献１,２に係る打込用工具は、打突棒の上端部をハンマで打突し、打突棒を介して釘類の頭部を打突するもので、打突棒の打突方向をガイド筒で規制することで、ハンマの手元が狂っても釘類を曲げ損傷することなく正確に打込むことができるようにするものである。
【先行技術文献】
【特許文献】
【０００６】
【特許文献１】実開平７−２７７７１号公報
【特許文献２】実開平７−８０７８１号公報
【考案の概要】
【考案が解決しようとする課題】
【０００７】
特許文献１,２に係る打込用工具をアンカボルトに適用すると、アンカボルトの打込み深度を外部から視認することができないため、打込み作業の途中でガイド筒を取外してアンカボルトの打込み深度を確認しなければならず、打込み作業が非効率的となってしまうという問題点がある。また、釘よりも剛性の高いアンカボルトの打突力に対する反力でハンマで打突された打突棒が反発してしまうため、アンカボルトを確実に打込むことができないという問題点がある。
【０００８】
本考案は、このような問題点を考慮してなされたもので、打込み作業を効率的に実施することができてアンカボルトを確実に打込むことができるアンカボルト打込用工具を提供することを課題とする。
【課題を解決するための手段】
【０００９】
前述の課題を解決するため、本考案に係るアンカボルト打込用工具は、実用新案登録請求の範囲の各請求項に記載の手段を採用する。
【００１０】
即ち、請求項１では、下端部にアンカボルトを囲むように収容して施工面から立設されるガイド筒と、ガイド筒の内部をスライドして下端部がアンカボルトを打突する打突棒とを備え、ガイド筒は下端部付近に収容したアンカボルトを覗くことのできる窓が開口され、打突棒は自重落下でアンカボルトを打込むことのできる重量を有してガイド筒の内部を遊嵌状態でスライドするものであることを特徴とする。
【００１１】
この手段では、ガイド筒に収容したアンカボルトを覗くことのできる窓が開口されることで、打込み作業の途中でガイド筒を取外さなくてもアンカボルトの打込み深度を窓から確認することができる。また、打突棒が自重落下でアンカボルトを打込むことのできる重量を有してガイド筒の内部を遊嵌状態でスライドするものとされることで、打突棒の上端部をハンマで打突する必要がなく、打突棒が自重を利用し打突力に対する反力を制するようにアンカボルトを直接的に打突する。
【００１２】
また、請求項２では、請求項１のアンカボルト打込用工具において、ガイド筒の窓が開口された付近の内周面に蓄光性部材が設けられていることを特徴とする。
【００１３】
この手段では、ガイド筒の窓の付近の内周面に蓄光性部材が設けられることで、蓄光性部材がアンカボルトの周囲を明るくする。
【００１４】
また、請求項３では、請求項１または２のアンカボルト打込用工具において、打突棒は上端部付近に滑止め構造をもった把手と把手よりも上端部側に把手よりも大きな抜止部が設けられていることを特徴とする。
【００１５】
この手段では、打突棒に滑止め構造をもった把手と抜止部とが設けられることで、重量のある打突棒の不測の落下が防止される。
【００１６】
また、請求項４では、請求項３のアンカボルト打込用工具において、打突棒の抜止部は重量の異なるものを交換可能であることを特徴とする。
【００１７】
この手段では、打突棒の抜止部が重量の異なるものを交換可能であることで、打突棒の全体の重量に可変性が備えられる。
【考案の効果】
【００１８】
本考案に係るアンカボルト打込用工具は、ガイド筒に収容したアンカボルトを覗くことのできる窓が開口されることで、打込み作業の途中でガイド筒を取外さなくてもアンカボルトの打込み深度を窓から確認することができるため、打込み作業を効率的に実施することができる効果がある。また、打突棒が自重落下でアンカボルトを打込むことのできる重量を有してガイド筒の内部を遊嵌状態でスライドするものとされることで、打突棒の上端部をハンマで打突する必要がなく、打突棒が自重を利用し打突力に対する反力を制するようにアンカボルトを直接的に打突するため、アンカボルトを確実に打込むことができる効果がある。
【００１９】
さらに、請求項２として、ガイド筒の窓の付近の内周面に蓄光性部材が設けられることで、蓄光性部材がアンカボルトの周囲を明るくするため、窓からのアンカボルトの打込み深度の確認が容易になる。
【００２０】
さらに、請求項３として、打突棒に滑止め構造をもった把手と抜止部とが設けられることで、重量のある打突棒の不測の落下が防止されるため、打込み作業を安全に実施することができる効果がある。
【００２１】
さらに、請求項４として、打突棒の抜止部が重量の異なるものを交換可能であることで、打突棒の全体の重量に可変性が備えられるため、アンカボルトの種類に対応して打突棒の重量（打突力）を調整することができる効果がある。
【図面の簡単な説明】
【００２２】
【図１】本考案に係るアンカボルト打込用工具を実施するための形態の第1例の正面図である。
【図２】図１の使用状態の要部の拡大断面図である。
【図３】図２のＸ−Ｘ線断面図である。
【図４】図２のＹ−Ｙ線断面図である。
【図５】図１の使用状態の図２に続く作業工程の要部の拡大断面図である。
【図６】本考案に係るアンカボルト打込用工具を実施するための形態の第２例の要部の正面図である。
【考案を実施するための形態】
【００２３】
以下、本考案に係るアンカボルト打込用工具を実施するための形態を図面に基づいて説明する。
【００２４】
図１〜図５は、本考案に係るアンカボルト打込用工具を実施するための形態の第１例を示すものである。
【００２５】
第１例では、スリーブ形の本体部Ｂａの中心に芯棒Ｂｂが挿通されたオールアンカ（サンコーテクノ（株）の商標）と称せられる種類のアンカボルトＢを打込み対象とするものを示してある。
【００２６】
第１例は、図１に示すように、ガイド筒１と打突棒２とからなる。
【００２７】
ガイド筒１は、金属材,合成樹脂材等で長尺の円筒形に形成された本体部１１を備えている。本体部１１の下端部（側面）には、コ字形に開口された窓１２が設けられている。本体部１１の上端部付近には、滑止め構造をもった把手１３が設けられている。本体部１１の窓１２付近の内周面には、蓄光性部材１４が蓄光性塗料の塗布や蓄光性シートの貼着等により設けられている
【００２８】
打突棒２は、鉄等の比重の高い金属材で長尺の丸棒形に形成された本体部２１を備えている。本体部２１の下端面は、平坦な打突面２２に形成されている。本体部２１の上端部付近には、滑止め構造をもった把手２３が設けられている。本体部２１の把手１３の上端部側である上端部には、把手２２よりも大きな抜止部２４が設けられている。
【００２９】
これ等のガイド筒１，打突棒２では、図５に詳細に示されるように、ガイド筒１の本体部１１の内径ａよりも打突棒２の本体部２１の外径がかなり小さく、ガイド筒１の本体部１１と打突棒２の本体部２１との間に相当のクリアランスｃを介して、ガイド筒１の本体部１１の内部を打突棒２の本体部２１が遊嵌状態（摩擦を起こさずに）でスライドすることができるようになっている。
【００３０】
第１例を使用するには、図２に示すように、施工面Ｆにドリル等で掘設された取付穴ＨにアンカボルトＢを挿通した後に、ガイド筒１の本体部１１を施工面Ｆから立設させアンカボルトＢを囲むように本体部１１の内部に収容する。このとき、把手１３を掴んでガイド筒１の本体部１１を立設させると、把手１３の滑止め構造によってガイド筒１が不測に手から滑落ちることがなく安全に作業を行うことができる。また、ガイド筒１の窓１２から本体部１１の内部に収容されたアンカボルトＢを視認することができるため、アンカボルトＢをガイド筒１の本体部１１の中央に正確に位置させることができる。また、ガイド筒１の本体部１１の内部にあるアンカボルトＢの周囲が蓄光性部材１４によって明るくなっていることも、アンカボルトＢの視認に役立つ。なお、ガイド筒１の窓１２を大きく開口して、ガイド筒１の本体部１１を持上げずに施工面Ｆに沿って横方向から移動させることでアンカボルトＢを収容することもできる。
【００３１】
この後、立設されたガイド筒１の本体部１１に対して打突棒２の本端部２１を遊嵌合させる。このとき、把手２３を掴んで打突棒２を持上げると、把手２３の滑止め構造によって打突棒２が不測に手から滑落ちることがなく安全に作業を行うことができる。なお、把手２３を掴んだ手に対して、大きさの大きな抜止部２４が上方への抜止め機能を発揮することも、打突棒２が不測に手から滑落ちるのを防止することに役立つ。
【００３２】
そして、掴んでいる把手２３を離すことにより打突棒２を落下させる。
【００３３】
落下する打突棒２の本体部２１は、図５に示すように、ガイド筒１の本体部１１の本体部１１とほとんど接触（摩擦抵抗を受けない）することなく、自重落下して打突面２２でアンカボルトＢの芯棒Ｂｂを打突する。
【００３４】
打突棒２の打突面２２で打突されたアンカボルトＢの芯棒Ｂｂは、本体部Ｂａを拡開させる。
【００３５】
この後、ガイド筒１の窓１２から本体部１１の内部に収容されているアンカボルトＢを覗いて、アンカボルトＢ（芯棒Ｂｂ）の打込み深度を確認する。従って、ガイド筒１を取外さなくてもアンカボルトＢの打込み深度を窓から確認することができることになって、打込み作業を効率的に実施することができることになる。なお、ガイド筒１の本体部１１の内部にあるアンカボルトＢの周囲が蓄光性部材１４によって明るくなっていることも、アンカボルトＢの視認に役立つ。
【００３６】
アンカボルトＢの打込み深度が不充分な場合には、打突棒２を持上げて再度落下させることになる。この結果、アンカボルトＢは、取付穴Ｈに確実に打込み固定される。
【００３７】
図６は、本考案に係るアンカボルト打込用工具を実施するための形態の第２例を示すものである。
【００３８】
第２例は、第１例の打突棒２の抜止部２４を重量の異なるものと螺号構造で交換可能にしてある。
【００３９】
第２例によると、打突棒２の全体の重量に可変性が備えられるため、アンカボルトＢの種類に対応して打突棒２の重量（打突力）を調整することができる。
【００４０】
以上、図示した各例の外に、他の種類のアンカボルトＢを打込み対象と可能である。
【００４１】
さらに、ガイド筒１，打突棒２を角筒形，角棒形とすることも可能である。
【実施例】
【００４２】
前述の本考案に係るアンカボルト打込用工具を実施するための形態の第１例については、ガイド筒１の長さを９４５ｍｍ、ガイド筒１の本体部１１の内径を直径２２．６ｍｍ、打突棒２の本体部２１の外径を直径１９ｍｍとするのが好適である。
【００４３】
なお、ガイド筒１の窓１２については、下端部から６０ｍｍまで開口するのが好ましい。
【産業上の利用可能性】
【００４４】
本考案に係るアンカボルト打込用工具は、アンカボルトと称せられるものに限定されることなく、釘類を含めて広範な打込部材を打込み対象とすることが可能である。
【符号の説明】
【００４５】
１            ガイド筒
１２          窓
１３          蓄光性部材
２            打突棒
２３          把手
２４          抜止部２４
Ｂ            アンカボルト
【図１】
0003192621.tif 000003
【図２】
0003192621.tif 000004
【図３】
0003192621.tif 000005
【図４】
0003192621.tif 000006
【図５】
0003192621.tif 000007
【図６】
0003192621.tif 000008